(57)【要約】【課題】洗浄水に用いる水道水をタンクに貯めることなく使用することができ、しかも歯及び歯茎を傷付けることなく歯と歯茎との境目等に溜まった食滓を効率よく除去することができる口腔内洗浄器具を提供する。【解決手段】水圧を利用して歯と歯茎との境目等に溜まった食滓等を除去する口腔内洗浄器具１であって、水道用の注水蛇口に連結されているホース４０に着脱自在に連結可能な連結部１０と、把持部２０を介して連結部１０と反対方向に位置する洗浄水を噴射するための複数の噴射口３１を有する吐出部３０とを備えた構成とし、吐出部の大きさを略スープ用の匙と同じ大きさとした。【選択図】図１
2009153646.tif 000002
【特許請求の範囲】
【請求項１】
水圧を利用して歯と歯茎との境目等に溜まった食滓等を除去する口腔内洗浄器具であって、
水道用の注水蛇口に連結されているホースに着脱自在に連結可能な連結部と、把持部を介して前記連結部と反対方向に位置する洗浄水を噴射するための複数の噴射口を有する吐出部とを備えたことを特徴とする口腔内洗浄器具。
【請求項２】
請求項１に記載の口腔内洗浄器具であって、前記吐出部の大きさが略スープ用の匙と同じ大きさであることを特徴する口腔内洗浄器具。
【請求項３】
請求項１若しくは２に記載の口腔内洗浄器具であって、前記把持部内を前記連結部から前記吐出部まで連通している水通路の少なくとも一部の内径が水道蛇口の内径より小さいことを特徴する口腔内洗浄器具。
【請求項４】
請求項１乃至３のいずれかに記載の口腔内洗浄器具であって、前記把持部と前記吐出部との結合部に補強素材が組込まれていることを特徴とする口腔内洗浄器具。
【発明の詳細な説明】
【技術分野】
【０００１】
本発明は、水圧を利用した口腔内洗浄器具に関し、更に詳しくは、歯と歯茎との境目等に溜まった食滓等を水道水の水圧を利用して洗浄する口腔内洗浄器具に関する。
【背景技術】
【０００２】
口腔内の洗浄は歯槽膿漏等の歯周病や虫歯の予防に重要であり、そのためうがいや歯ブラシによる歯磨きが行われている。しかし、うがいや歯ブラシによる歯磨きでは、歯と歯の間や歯と歯茎との境目に溜まった食滓等を完全に除去することが出来ず、歯周病を予防するには充分でなかった。
【０００３】
歯周病は、歯と歯茎と境目等に溜まった食滓等が完全に除去されず時間と共に硬化して歯垢となって歯に固着し、その歯垢のため歯と歯茎との間にポケットという隙間が形成されることにより発生する。形成されたポケットには食滓等が溜まり易くなるため、溜まった食滓等によりポケットが更に深くなるという悪循環に陥り、ポケットが深くなることで歯茎の根元にある歯槽骨を腐らせ、最悪の場合には歯が抜け落ちるという非常に恐ろしい病気であり、高齢化の進行と共に発生率が増加しており、その予防及び早期治療が望まれている。
【０００４】
歯周病の予防及び早期治療には食滓等を完全に除去することであり、従来、歯磨きの後に残った食滓等は市販されている糸ようじにより除去されていた。しかし、糸ようじは、歯と歯の隙間に挟まった食滓等を除去するには適しているが、歯と歯茎との境目に溜まった食滓等を除去するには不適であり、しかも歯自体や歯茎を傷付けるという不具合があった。
【０００５】
また、下記特許文献１には、内蔵発動機にてタンクに溜めてある水に圧力をかけ、装置から延長されたホースの先端に結合された１本の細いノズルから所定の圧力で洗浄水を噴射させ、食滓等を除去することが提案されている。しかし、このようにタンクに水を貯水する場合、衛生面から使用の都度タンクの水を捨て、また定期的にタンク内を清掃する必要があった。更に、ノズルから噴射する洗浄水は１箇所から噴射するのみであるから、前歯の位置では歯と歯茎の境目に上手く洗浄水を噴射させて食滓等を除去することが可能であるが、奥歯の位置においては歯と歯茎の境目に必ずしも洗浄水を噴射させることができず、完全に食滓等を除去することができないとの不具合があった。
【０００６】
【特許文献１】特開平０８−０３３６５６
【発明の開示】
【発明が解決しようとする課題】
【０００７】
本発明は上述の不具合点を解決するためになされたものであって、その目的とするところは、洗浄水に用いる水道水をタンクに貯めることなく使用することができ、しかも歯及び歯茎を傷付けることなく歯と歯茎との境目等に溜まった食滓を効率よく除去することができる口腔内洗浄器具を提供することである。
【課題を解決するための手段】
【０００８】
上記目的を達成するため、本発明の請求項１による口腔内洗浄器具は、水圧を利用して歯と歯茎との境目等に溜まった食滓等を除去する口腔内洗浄器具であって、水道用の注水蛇口に連結されているホースに着脱自在に連結可能な連結部と、把持部を介して前記連結部と反対方向に位置する洗浄水を噴射するための複数の噴射口を有する吐出部とを備えたことを特徴とするものである。
【０００９】
また、本発明の請求項２による口腔内洗浄器具は、請求項１に記載の口腔内洗浄器具であって、前記吐出部の大きさが略スープ用の匙と同じ大きさであることを特徴するものである。
【００１０】
また、本発明の請求項３による口腔内洗浄器具は、請求項１若しくは２に記載の口腔内洗浄器具であって、前記把持部内を前記連結部から前記吐出部まで連通している水通路の少なくとも一部の内径が水道蛇口の内径より小さいことを特徴するものである。
【００１１】
また、本発明の請求項４による口腔内洗浄器具は、請求項１乃至３のいずれかに記載の口腔内洗浄器具であって、前記把持部と前記吐出部との連結部に補強素材が組込まれていることを特徴とするものである。
【発明の効果】
【００１２】
上記構成を備えた本発明の口腔内洗浄器具は、水道用の注水蛇口に連結されているホースに着脱自在に連結可能な連結部を有しているので、水道水をタンクに貯めることなく直接用いることができ、使用の都度タンクの水を捨て、また定期的にタンク内を清掃する作業が不要となる。
【００１３】
また、吐出部には洗浄水を噴射するための複数の噴射口が形成されているので、噴射口から噴射した複数の洗浄水で歯と歯茎との境目に噴射させることができ、前歯はもとより奥歯においても歯と歯茎との境目に溜まった食滓等を効率よく除去することができる。
【００１４】
また、吐出部の大きさが略スープ用の匙と同じ大きさであれば、口の中に容易に挿入することができ、しかも表面に噴射口を数多く形成することができ、効率よく歯と歯茎との境目に溜まった食滓等を除去することができる。
【００１５】
また、把持部内を連結部から吐出部まで連通している水通路の少なくとも一部の内径が水道用の注水蛇口の内径より小さいので、少ない水量で水圧を高めることができる。
【００１６】
また、把持部と吐出部との結合部が括れているときは、強度的に弱く折れやすくなるので、補強素材を組み込むことで耐久性を向上することができる。
【発明を実施するための最良の形態】
【００１７】
以下に図面を参照して、この発明の好適な実施の形態を例示して説明する。ただし、この発明の範囲は、特に限定的記載がない限り、この実施の形態に記載されている内容に限定する趣旨のものではない。
【００１８】
図１は、本発明に係る口腔内洗浄器具の斜視図を示しており、図２は、図１の口腔内洗浄器具を水道用の注水蛇口に連結されているホースに連結された状態を示す説明図である。
【００１９】
本発明に係る口腔内洗浄器具１は、連結部１０と、把持部２０と、吐出部３０とを備えている。
【００２０】
連結部１０は、水道用の注水蛇口に連結されているホース４０の先端部に形成されている連結部４１と連結できるような形状であればよく、図に示されているような螺子部１１、又は図示されていないがワンタッチのカセット方式若しくはアダプター方式で組付けることができるジョイント部等が成形される。
【００２１】
把持部２０は、口腔内を洗浄するときに手で把持する部分であり、内部には連結部１０から吐出部３０まで連通している水通路２１が形成されている。水通路２１における内径は、連結部１０側はホース４０と連結するために略ホース４０の内径に等しいが、吐出部３０側に向かって徐々に細くなり吐出部３０との結合部２２で最も細くなっている。なお、結合部２２は、把持部２０において最も細くなっているので折れ易く、その補強のため図示されていないが補強素材として、カーボンファイバーやチタン合金等が組込まれている。
【００２２】
吐出部３０は、噴射口３１が成形されている吐出面３２は平面となっており、平面の大きさは、多数の噴射口３１を形成することができるようにスープ用の匙の大きさと略同じ大きさになっている。
【００２３】
上記構成の口腔内洗浄器具１を使用するには、図２に示すように連結部１０をホース４０の先端に形成されている連結部４１と結合する。これにより、水道水をタンクに貯めることなく使用することが可能になると共に、水道用の注水蛇口を開放するときの水圧を利用して洗浄水を噴射させることが可能となる。尚、連結部１０とホース４０の先端に形成されている連結部４１とを結合するときに内径の大きさが異なる場合には、アダプター５０を介在させて結合させることが出来るようになっている。
【００２４】
しかも、把持部２０に形成されている水通路２１の内径が徐々に細くなっているので、水道用の注水蛇口の出口部での水圧より噴射口３１から噴射する洗浄水の水圧を高くすることが可能となり、歯と歯茎との境目に溜まっている食滓を効率よく除去することが可能となる。
【００２５】
また、吐出部３０には多数の噴射口３１が形成されているので、奥歯の位置においても歯と歯茎の境目に噴射口３１からの洗浄水を噴射することが可能となる。なお、噴射口３１が多数形成されていると洗浄水が多量に口の中に噴射されることになり、しかも水圧が高く飛散するので、入浴時にシャワー用に使用されてホースの先端に連結して使用するのが好適である。
【図面の簡単な説明】
【００２６】
【図１】本発明の実施形態に係る口腔内洗浄器具の斜視図である。
【図２】図１に係る口腔内洗浄器具を水道用の蛇口にホースを介して連結した状態を示す説明図である。
【符号の説明】
【００２７】
１          口腔内洗浄器具
１０，４１  連結部
１１        螺子部
２０        把持部
２１        水通路
２２        結合部
３０        吐出部
３１        噴射口
３２        吐出面
４０        ホース
５０        アダプター
【図１】
2009153646.tif 000003
【図２】
2009153646.tif 000004